(57)【要約】【課題】ズボンの裾の上から長靴ヘ装着するバンドの携帯を忘れにくくし、いつでも装着使用できて、ズボンの裾を長靴で踏んでしまうことが無く、雨水が長靴の中へ入ることがないバンド付長靴を提供する。【解決手段】長靴７の表面周囲に装着されるバンド５を収納できるバンド溝９を、長靴７の表面周囲に形成する。バンド５の下縁でバンド肉厚方向奥側位置に下方向へ形成される下爪１１が、バンド溝９の下縁で奥側位置に形成される下爪溝１３に、嵌合する。バンド５の上縁でバンド肉厚方向奥側位置に上方向へ形成される上爪１５が、バンド溝９の上縁で奥側位置に形成される上爪溝１７に、嵌合する。下爪及び下爪溝１３は、長靴７の表面周囲の全周に形成される。上爪及び上爪溝１７は、長靴７の表面周囲の周方向に複数箇所へ分散して形成される。バンド５の内面１９は、円弧状断面の曲面であり、嵌合の際に曲げやすい。バンド５の下縁でバンド肉厚方向前側位置に表側下方へ、スカート部２１が突設される。【選択図】図１
2011234841.tif 000002
【特許請求の範囲】
【請求項１】
長靴と、ズボンの裾を止めるために前記長靴の表面周囲に装着されるバンドと、前記装着のために前記長靴の前記表面周囲に形成され前記バンドを収納できるバンド溝と、前記バンドの下縁でバンド肉厚方向奥側位置に下方向へ形成される下爪と、前記バンドの上縁でバンド肉厚方向奥側位置に上方向へ形成される上爪と、前記下爪が嵌合する位置に前記バンド溝の下縁で奥側位置に形成される下爪溝と、前記上爪が嵌合する位置に前記バンド溝の上縁で奥側位置に形成される上爪溝と、を有することを特徴とするバンド付長靴。
【請求項２】
前記下爪及び前記下爪溝は、前記長靴の表面周囲の全周に形成され、前記上爪は、前記長靴の表面周囲の周方向に複数箇所へ分散して形成され、前記バンドの内面は、円弧状断面の曲面であり、前記バンドの下縁でバンド肉厚方向前側位置に表側下方へ突設されるスカート部と、を有することを特徴とする請求項１に記載のバンド付長靴。 
【発明の詳細な説明】
【技術分野】
【０００１】
この発明は、長靴の上からズボンの裾を止めるために、表面周囲に装着されるバンドを有する前記長靴に関する。
【背景技術】
【０００２】
雨合羽と長靴を身につけて作業すると、雨合羽のズボンの裾がずり落ちてきて長靴で踏んでしまい、裾が破れてしまうことが多い。踏まないように、裾を長靴の中に入れると、雨水がズボンを伝わって長靴の中へ入り、中が濡れてしまう。
下記特許文献１では、靴と裾をすっぽりと覆う袋状のカバーを履き、その上から、面ファスナーが設けられたバンドで固定を行なう技術が開示される。
【先行技術文献】
【特許文献】
【０００３】
【特許文献１】実用新案登録３１５５６０２
【発明の概要】
【発明が解決しようとする課題】
【０００４】
しかしながら、上特許文献１では、袋状のカバーやバンドを携帯しなければならず
、携帯を忘れると、使用できない。また、雨が激しくなった後で使用しようと思っても、携帯してこなかった時には、使用できない。
この発明は、以上の問題点を解決するために、バンドの携帯を忘れることを防止でき、いつでも使用できて、ズボンの裾を長靴で踏んでしまうことが無く、雨水が長靴の中へ入ることがないバンド付長靴を提供することを目的とする。
【課題を解決するための手段】
【０００５】
以上の課題を解決するために、第一発明は、長靴と、ズボンの裾を止めるために前記長靴の表面周囲に装着されるバンドと、前記装着のために前記長靴の前記表面周囲に形成され前記バンドを収納できるバンド溝と、前記バンドの下縁でバンド肉厚方向奥側位置に下方向へ形成される下爪と、前記バンドの上縁でバンド肉厚方向奥側位置に上方向へ形成される上爪と、前記下爪が嵌合する位置に前記バンド溝の下縁で奥側位置に形成される下爪溝と、前記上爪が嵌合する位置に前記バンド溝の上縁で奥側位置に形成される上爪溝と、を有することを特徴とするバンド付長靴である。
【０００６】
第二発明は、更に、前記下爪及び前記下爪溝は、前記長靴の表面周囲の全周に形成され、前記上爪は、前記長靴の表面周囲の周方向に複数箇所へ分散して形成され、前記バンドの内面は、円弧状断面の曲面であり、前記バンドの下縁でバンド肉厚方向前側位置に表側下方へ突設されるスカート部と、を有することを特徴とするバンド付長靴である。
【発明の効果】
【０００７】
第一、又は第二発明によれば、長靴の表面周囲に形成されたバンド溝にバンドを収納できるので、長靴を通常使用することで、常にバンドを携帯することになる。よって、バンドの携帯を忘れることを防止できる。使用するには、バンド溝からバンドを外せば良く、いつでもバンドを使用できる。
【０００８】
外したバンドで、長靴の上からズボンの裾を止めれば、ズボンの裾を長靴で踏んでしまうことが無く、雨水が長靴の中へ入ることがない。使用状態のバンドをバンド溝に収納することもでき、バンドがずれるのを防止できる。
バンド溝にバンドを収納する際には、バンドの下爪を下爪溝へ嵌合させ、その後、バンドの上爪を上爪溝へ嵌合させる。収納が容易である。
【０００９】
第二発明によれば、更に、下爪及び下爪溝は、長靴の全周に形成され、しっかりとした嵌合ができる。また、上爪は、長靴の周方向に複数箇所へ分散して形成されるので、手で嵌合させる作業が楽に行える。
また、バンドの内面は、円弧状断面の曲面であり、上爪を上爪溝へ嵌合させる際に、バンドを上下幅方向で曲げやすいため、嵌合が容易である。
また、バンドの下縁にスカート部が突設されるので、このスカート部がバンド下のズボンの裾を押さえ込み、裾が跳ね上がった状態になりにくい。
【図面の簡単な説明】
【００１０】
【図１】この発明の一実施形態にかかるバンド付長靴を示すもので（Ａ）は使用状態図、（Ｂ）はバンド付長靴の拡大斜視図である。
【図２】図１（Ｂ）のＩＩ−ＩＩ断面を示すもので、（Ａ）はバンドを収納する前の状態を示す断面斜視図、（Ｂ）はバンドを収納した状態を示す断面図である。
【図３】この発明の他の実施形態にかかるバンド付長靴で図２（Ａ）右側に相当するバンド溝の断面図である。
【発明を実施するための形態】
【００１１】
この発明の第１実施形態を、図１及び図２に示す。
図１（Ａ）に示すように、使用時には、雨合羽のズボン１の裾３の上から、バンド５を、長靴７の表面周囲に装着する。
図１（Ｂ）及び図２に示すように、長靴７の表面周囲には、バンド５を収納できるバンド溝９が形成される。図２に示すように、バンド５の下縁には、下爪１１が形成される。この下爪１１は、バンド肉厚方向の奥側の位置に、下方向へ形成される。また、下爪１１は、長靴７の表面周囲の全周に形成される。
【００１２】
下爪１１は、対応する下爪溝１３に、嵌合する。この下爪溝１３は、バンド溝９の下縁で奥側位置に形成される。そして、下爪溝１３も、長靴７の表面周囲の全周に形成される。
次に、バンド５の上縁には、上爪１５が形成される。この上爪１５は、バンド肉厚方向の奥側の位置に、上方向へ形成される。また、上爪１５は、長靴７の表面周囲の周方向に、複数箇所へ分散して形成される。
【００１３】
上爪１５は、対応する上爪溝１７に、嵌合する。この上爪溝１７は、長靴７の表面周囲の全周に形成される。全周に形成することで、嵌合の際に、上爪溝１７に対する上爪１５の周方向の位置決めを行なわなくて済む。
バンド５の内面１９は、薄い円弧状断面の曲面である。このため、下爪１１や上爪１５を嵌合する際に、バンド５を上下幅方向で曲げやすい。曲げることで、これらの嵌合が容易になる。
【００１４】
バンド５の下縁には、スカート部２１が突設される。このスカート部２１は、バンド肉厚方向の前側の位置でバンド５に連続し、バンド５の表側下方へ（図中の左下へ）斜めに突出した状態で設けられる。
図２（Ａ）に示すように、バンド５の上縁での肉厚部分には、取り外し用溝２３が形成される。この取り外し用溝２３は、周方向に細長い略三日月形状を有する。この取り外し用溝２３の前側を指で引っ張ることで、肉厚の薄くなった部分を指で引っ張ることになり、伸びやすく、引っ張りやすいので、バンド５の取外しが容易になる。
下爪溝１３や上爪溝１７は、長靴７の材質と一体に形成され、その内側にクッション材２５，更にその内側に内布２７が積層されて設けられる。
【００１５】
「実施形態の効果」
以上の実施形態により以下の作用効果を得る。すなわち
（１）長靴７の表面周囲に形成されたバンド溝９にバンド５を収納できる。このために、雨が降らない状態で長靴７を通常使用するときでも、常にバンド５を携帯することになる。よって、バンド５の携帯を忘れることを防止できる。
【００１６】
（２）使用するには、バンド溝９からバンド５を外せば良く、いつでもバンド５を使用できる。
（３）外したバンド５で、長靴７の上からズボン１の裾３を止めれば、ズボン１の裾３がずれて下がるのを防止でき、裾３を長靴７で踏んでしまうことが無い。また、雨水が長靴７の中へ入ることがない。
（４）使用状態のバンド５をバンド溝９に収納することもでき、バンド５が上下へずれるのを防止できる。もっとも、使用状態のバンド５をバンド溝９に収納しなくても、従来のバンド５と同じように、ズボン１の裾３を長靴７で踏んでしまうことが無く、雨水が長靴７の中へ入ることがない、等の効果を果たせる。
【００１７】
（５）バンド溝９にバンド５を収納する際には、バンド５の下爪１１を下爪溝１３へ嵌合させ、その後、バンド５の上爪１５を上爪溝１７へ嵌合させる。この順序で、嵌合を行なうことで、嵌合作業が容易になる。
（６）下爪及び下爪溝１３は、長靴７の全周に形成され、しっかりとした嵌合ができる。
【００１８】
（７）図２（Ａ）に示すように、上爪１５は、長靴７の周方向に複数箇所（図中では３箇所が表されている）へ分散して形成されるので、上爪溝１７へ、手で嵌合させる際に、分散させた上爪１５を一つひとつ嵌合させることができ、嵌合作業が楽に行える。
（８）バンド５の内面１９は、円弧状凹断面の曲面であり、上爪１５を上爪溝１７へ嵌合させる際に、バンド５を上下幅方向で曲げやすいため、嵌合が容易である。
【００１９】
（９）バンド５の内面１９は、円弧状凹断面の曲面であり、雨が降らない状態で長靴７を通常使用するとき、バンド溝９にバンド５を収納した状態で、内面１９がバンド溝９の内壁１０に吸着することを期待でき、収納が安定する。
（１０）バンド５の下縁にスカート部２１が突設されるので、このスカート部２１がバンド５下のズボン１の裾３を押さえ込み、裾３が跳ね上がった状態になりにくい。特に、使用状態のバンド５をバンド溝９に収納する時には、裾３が、下爪１１と下爪溝１３に挟まれて跳ね上がった状態になり易いので、裾３を押さえ込むことは効果がある。
【００２０】
（１１）バンド５の取外しの際には、図２（Ａ）に示す取り外し用溝２３の前側を指で引っ張るとよい。すなわち、この前側、つまり肉厚の薄くなった部分を指で引っ張ることになり、伸びやすいので、引っ張りやすくなり、バンド５の取外しが容易になる。
「他の実施形態」
以上の実施形態では、下爪及び下爪溝１３は、長靴７の表面周囲の全周に形成されるものであったが、他の実施形態では、上爪１５と同じように、周方向に複数箇所へ分散して形成しても良い。
【００２１】
以上の実施形態では、上爪１５は、長靴７の表面周囲の周方向に複数箇所へ分散して形成されるものであったが、他の実施形態では、下爪１１と同様に全周に形成されるものであっても良い。この場合には、上爪１５の厚さを薄くすること、あるいは切込みを入れ分散形成に近似させることで、嵌合を容易にすることが望ましい。
【００２２】
以上の実施形態では、バンド５の内面１９は、円弧状断面の曲面であったが、他の実施形態では、平面であっても構わない。
以上の実施形態では、バンド５の下縁にはスカート部２１が設けられたが、他の実施形態では、スカート部２１は省略されても構わない。
以上の実施形態では、下爪溝１３や上爪溝１７は、長靴７の材質と一体に形成されるものであったが、他の実施形態では、例えば図３に示すように、後付とすることも可能である。すなわち、長靴７の表面周囲に、リング状で、断面が薄い庇様の後付材２９、３１を接着３３などにより設ける。この後付材２９、３１庇様の形状の端部内側で、長靴７の表面周囲との間に、下爪溝１３や上爪溝１７が形成される。
【符号の説明】
【００２３】
１…ズボン、３…裾、５…バンド、７…長靴、９…バンド溝、１１…下爪、１３…下爪溝、１５…上爪、１７…上爪溝、１９…内面、２１…スカート部、２３…取り外し用溝。
【図１】
2011234841.tif 000003
【図２】
2011234841.tif 000004
【図３】
2011234841.tif 000005